(57)【要約】【課題】リフィル交換時におけるノック機構の軸筒内での引っかかりを解消しつつ、ノック機構の復元に伴うリフィルに対する衝撃を軽減ないし解消する。【解決手段】複数本のリフィル30を軸筒20内に収納し、これらのリフィル30の各々の後方に位置するノック棒40の先端方向へのスライドによってそのノック棒40に対応するリフィル30の筆記先端33が前記軸筒20の先端から突出して筆記可能となるスライド式複式筆記具10であって、前記各リフィル30ごとに、前記ノック棒40の後方への復帰に寄与するスプリング52と、該リフィル30の後端に位置するリフィル尾栓51とが設けられるとともに、前記リフィル尾栓51の後端は、対応する前記ノック棒40の先端とは分離した状態で、該ノック棒40の先端に接触しこれに先端方向へ押圧されることで、対応するリフィル30が先端後方へ移動する。【選択図】図２
2014083764.tif 000002
【特許請求の範囲】
【請求項１】
複数本のリフィルを軸筒内に収納し、これらのリフィルの各々の後方に位置するノック棒の先端方向へのスライドによってそのノック棒に対応するリフィルの筆記先端が前記軸筒の先端から突出して筆記可能となるスライド式複式筆記具であって、
前記各リフィルごとに、前記ノック棒の後方への復帰に寄与するスプリングと、該リフィルの後端に位置するリフィル尾栓とが設けられるとともに、
前記リフィル尾栓の後端は、対応する前記ノック棒の先端とは分離した状態で、該ノック棒の先端に接触しこれに先端方向へ押圧されることで、対応するリフィルが先端後方へ移動することを特徴とするスライド式複式筆記具。
【請求項２】
前記リフィルの少なくとも１つに対し、該リフィルの後端が挿入されるとともに前記スプリングが装着されるリフィル管が設けられるとともに、
該リフィル管の後端に前記リフィル尾栓が装着されていることを特徴とする請求項１記載のスライド式複式筆記具。
【請求項３】
前記ノック棒の先端部分には、前記リフィルが後方へ復帰する際の前記スプリングによる衝撃を緩衝する構造を備えることを特徴とする請求項１又は２記載のスライド式複式筆記具。
【請求項４】
前記衝撃を緩衝する構造は、前記ノック棒の先端部分において、軸方向とは直行する方向に貫通する孔であることを特徴とする請求項３記載のスライド式複式筆記具。
【発明の詳細な説明】
【技術分野】
【０００１】
本発明は、複数本のリフィルを軸筒内に収納し、これらのリフィルを先端方向へスライドすることによってそのリフィルの筆記先端が軸筒の先端から突出して筆記可能となるスライド式複式筆記具に関する。
【背景技術】
【０００２】
従来、複数本のリフィルを軸筒内に収納する複式筆記具が種々提供されている。そのうち最も一般的なのは、各リフィルの後端にノック棒が接続され、そのノック棒が軸筒側面に設けられたスリットに沿って前後にスライド可能となっている構造のものである。そして、その先端方向へのスライドによってリフィルの筆記先端が軸筒の先端から突出し、カム機構によってその突出位置で係合した状態が維持されて、筆記可能となる。そして、他のリフィルに対応するノック棒を操作するとカム機構による係合状態が解除され、突出していた筆記先端は軸筒内に没入する。
このようなスライド式の複式筆記具としては、下記従来技術に示すようなものが開示されている。
【先行技術文献】
【特許文献】
【０００３】
【特許文献１】特開２０１０−７６２８１号公報
【特許文献２】特開２００５−９６１６０号公報
【発明の概要】
【発明が解決しようとする課題】
【０００４】
従来のスライド式複式筆記具では、上記特許文献１に示すように、ノック棒の先端に交換可能なリフィルの後端が直接接続されるものが多かった。この場合、リフィルを交換するために先端方向にこれを強く引っ張ると、ノック棒のノック機構の一部、たとえばスプリングなどが、軸筒内部で引っかかり元に戻りにくくなることがあった。
さらに、リフィルを後方に没入させる際、スプリングの復元力を利用するが、この復元の際、ノック棒が軸筒の後端に衝突するときの衝撃がリフィルに直接伝わり、リフィル内のインクに気泡が入るなどの不都合が生じることもある。またリフィルがシャープペンシルの機構部分として形成されているような場合その機構にそのような衝撃が度重なると故障等の不都合が生じる可能性もある。
【０００５】
また、ノック棒とリフィルとの間に、上記特許文献２に示すように、筒状の部材、特に金属製のパイプを介在させるものもある。このような金属製のパイプに合成樹脂製のノック棒を接続する場合、強度を確保するためにこのノック棒の太さをある程度大きくせざるを得ない。そのため、筆記具の軸もそれに応じてある程度の太さとならざるを得ない。
以上の点に鑑み、本発明は、リフィル交換時におけるノック機構の軸筒内での引っかかりを解消しつつ、ノック機構の復元に伴うリフィルに対する衝撃を軽減ないし解消することを第１の課題とする。
また、本発明は、上記第１の目的に加え、ノック棒の太さも小さくすることで、筆記具の軸を従来のものより細くすることを第２の課題とする。
【課題を解決するための手段】
【０００６】
（１）第１の発明
前記第１の課題を解決すべく、本件出願に係る第１の発明は、
複数本のリフィル30を軸筒20内に収納し、これらのリフィル30の各々の後方に位置するノック棒40の先端方向へのスライドによってそのノック棒40に対応するリフィル30の筆記先端33が前記軸筒20の先端から突出して筆記可能となるスライド式複式筆記具10であって、
前記各リフィル30ごとに、前記ノック棒40の後方への復帰に寄与するスプリング52と、該リフィル30の後端に位置するリフィル尾栓51とが設けられるとともに、
前記リフィル尾栓51の後端は、対応する前記ノック棒40の先端とは分離した状態で、該ノック棒40の先端に接触しこれに先端方向へ押圧されることで、対応するリフィル30が先端後方へ移動することを特徴とする。
【０００７】
なお、本発明における「前方」とは、筆記先端33に向かう方向をいい、「後方」とはその反対方向をいう。
すなわち、従来はノック棒40とリフィル30とは直接又は間接に接続され、これらは前後方向に連動することとなっていたが、本発明では、ノック棒40とリフィル30の後端に位置するリフィル尾栓51とが分割されている。これにより、ノック棒40を先端方向に移動させるときはリフィル30もこれに伴って先端に移動するが、たとえば、リフィル30を先端に引っ張ったとしても、ノック棒40はこれに追随しない。よって、リフィル30交換に伴うノック棒40やスプリング52の軸筒20内部での引っかかりは本発明によって解消される。
【０００８】
さらに、スプリング52によりリフィル30が後方に復帰する際にも、そのスプリング52の復元力によってノック棒40が軸筒20の後端に衝突するときに、リフィル30はノック棒40と分離した状態となる。これによってその衝突による衝撃はリフィル30には直接伝わらない。よって、リフィル30の後方への復帰に伴うリフィル30への不都合は本発明によって軽減ないし解消される。
また、ノック棒40をリフィル30に接続する必要がないため、ノック棒40先端に、リフィル30との接続のための構造（たとえば、リフィル30後端に挿入される突起構造）を設ける必要がない。よって、ノック棒40の形状の設計上の自由度も増す。
【０００９】
（２）第２の発明
上記第２の課題を解決すべく、本件出願に係る第２の発明に係るスライド式複式筆記具10は、前記第１の発明の特徴に加え、
前記リフィル30の少なくとも１つに対し、該リフィル30の後端が挿入されるとともに前記スプリング52が装着されるリフィル管50が設けられるとともに、
該リフィル管50の後端に前記リフィル尾栓51が装着されていることを特徴とする。
すなわち、リフィル管50とノック棒40とが直接接続しないため、リフィル管50として金属製の細いものを採用する際に、ノック棒40自体もそれに伴う細い形状とすることができる。これにより、軸筒20の径も従来の複式筆記具に比較して格段に細くすることが可能となっている。
【００１０】
（３）その他
なお、上述のように、ノック棒40の先端部分の構造の設計上の自由度を増すことができるため、前記ノック棒40の先端部分には、前記リフィル30が後方へ復帰する際の前記スプリング52による衝撃を緩衝する構造、たとえば、孔やバネ様あるいは蛇腹様構造を備えることとしてもよい。
そしてこのような衝撃を緩衝する構造として孔を設ける場合には、前記ノック棒40の先端部分において、軸方向とは直行する方向に貫通する孔として設けることが、衝撃の生ずる方向の緩衝という目的上より望ましい。
【発明の効果】
【００１１】
本発明は、上記のように構成されているので、以下に記す効果を奏する。
すなわち、本件出願に係る第１の発明の構成によればリフィル交換時におけるノック機構の軸筒内での引っかかりを解消しつつ、ノック機構の復元に伴うリフィルに対する衝撃を軽減ないし解消することが可能となる。
また、本件出願に係る第２の発明の構成によれば、上記第１の発明が奏する効果に加え、ノック棒の太さも小さくすることができ、筆記具の軸を従来のものより細くすることが可能となる。
【図面の簡単な説明】
【００１２】
【図１】本発明の実施の形態に係るスライド式複式筆記具を（Ａ）正面図及び（Ｂ）側面図で示す。
【図２】本発明の実施の形態に係るスライド式複式筆記具を側面断面図で示す。
【発明を実施するための形態】
【００１３】
以下、本発明の１の実施の形態を図面を参照しつつ説明する。
本実施の形態に係るスライド式複式筆記具10は、図１に示すような外観を呈する。
このスライド式複式筆記具10の最外部を構成する軸筒20は、後端側を構成する後軸21と、この後軸21の先端側を被覆する中軸23と、この後軸21の先端側に装着される先軸22とで構成されている。この先軸22は、後軸21の先端内側に挿入される中ネジ管24を介してこの中ネジ管24の先端に螺着されている（図２参照）。
後軸21の後端には、図１に示すように、天冠25が装着される。また、後軸21の後端側外周には、軸方向に沿ったスライド溝21a（図１（Ｂ）参照）が３本、周方向に等配されている（図１（Ａ）参照）。これらスライド溝21aの各々に対し、ノック棒40が配設されている。ノック棒40の後端からはノック突起41がスライド溝21aから外方へ突出している。そして、正面位置のノック突起41にはクリップ43が装着されている。さらにこのクリップ43の後端には装飾部材44が嵌め込まれている。なお、図１（Ａ）の正面図ではクリップ43に被覆されて視認できないが、このクリップ43が装着されているノック棒40に対しても、図１（Ｂ）に示すようなスライド溝21aが形成されている。
【００１４】
軸筒20の内部には、図２に示すように、リフィル30として、１本のシャープペンシルユニット31と、２本のボールペンリフィル32とが収納されている。シャープペンシルユニット31は、リフィル管50の先端に外挿されて装着されている。一方、ボールペンリフィル32は、リフィル管50の先端に挿入されている。リフィル管50の後端側には、リフィル30の後方への復帰に寄与するスプリング52が外挿されている。さらに、リフィル管50の後端には、リフィル尾栓51が装着されている。リフィル尾栓51の後端部分の径はリフィル管50の外径より大きくなっており、この部分によってスプリング52の後端が支持されている。
これら都合３本のリフィル管50は、後筒の内部に装着されるガイドスペーサ26に設けられるガイド孔26aによって前後の移動が誘導されている。
【００１５】
また、天冠25の先端側には芯金27が螺着されている。この芯金27の外周には回転カム機構28が備えられている。この回転カム機構28は、リフィル30の筆記位置での保持及びこの筆記位置からの後方への復帰に関与するものである。
ノック棒40の先端は、リフィル尾栓51の後端に接するものの、これとは分離している。すなわち、ノック棒40はリフィル尾栓51とは機械的な接続はされていない。また、ノック棒40の先端には、リフィル30の前後方向に直交する緩衝孔42が形成されている。
このノック棒40のノック突起41をスライド溝21aに沿って前方へスライドさせると、ノック棒40の先端がリフィル尾栓51を押圧し、これによりリフィル管50はスプリング52を収縮させつつガイド孔26aに沿って前方へ移動し、該当する筆記先端33が先軸22先端の開口部22aから突出する。そして、ノック棒40の一部が回転カム機構28と係合することで、筆記先端33が筆記位置に保持されることになる。
【００１６】
そして、この筆記位置から、そのノック棒40をさらに前方へスライドさせると、回転カム機構28との係合が解除される。そしてスプリング52の復元力によりリフィル尾栓51が後方へ移動し、それに伴いリフィル30全体も後方へ移動し、該当する筆記先端33は開口部22aの内部へ没入する。このとき、リフィル尾栓51によりノック棒40は後方へ押しやられることになる。しかし、リフィル尾栓51とノック棒40とは分離しているため、ノック棒40が元の位置に復帰する際の衝撃は、リフィル尾栓51には直接伝わらない。なお、この際の衝撃は、ノック棒40先端の緩衝孔42によって幾分緩衝される。
また、シャープペンシルユニット31に芯を補充する際には、先軸22を後軸21から取り外してから、シャープペンシルユニット31を前方へ引っ張ってリフィル管50から引き抜く必要がある。ボールペンリフィル32を交換する際も同様である。このようにシャープペンシルユニット31又はボールペンリフィル32を前方へ引っ張る際には、リフィル管50もそれに連れて前方へ移動することになる。しかし、ノック棒40はリフィル管50とは分離しているので、リフィル管50が前方へ引っ張られてもそれに連れて前方へ移動することはない。これにより、シャープペンシルユニット31又はボールペンリフィル32を前方へ引っ張ってリフィル管50から引き抜く際に、ノック棒40の一部が引っ張られて軸筒20内部で引っかかるという不都合も解消されている。
【産業上の利用可能性】
【００１７】
本発明は、複数本のリフィルを内蔵する複式筆記具に利用可能である。なお、この複数本のリフィルのうちの一部がシャープペンシルユニットとして形成されているような複式筆記具にも本発明は利用可能である。
【符号の説明】
【００１８】
10  スライド式複式筆記具
20  軸筒                  21  後軸                  21a  スライド溝
22  先軸                  22a  開口部                23  中軸
24  中ネジ管              25  天冠                  26  ガイドスペーサ
26a  ガイド孔              27  芯金                  28  回転カム機構
30  リフィル              31  シャープペンシルユニット
32  ボールペンリフィル    33  筆記先端
40  ノック棒              41  ノック突起            42  緩衝孔
43  クリップ              44  装飾部材
50  リフィル管            51  リフィル尾栓          52  スプリング
【図１】
2014083764.tif 000003
【図２】
2014083764.tif 000004